(57)【要約】【課題】Ｗｅｂサイトに接続する際の利便性を好適に向上させることができるようにする。【解決手段】本発明に係る携帯端末においては、記憶部は、携帯端末を識別するための機器識別情報を記憶し、無線ＬＡＮ通信部は、携帯端末とネットワークを介して接続される少なくとも１つ以上のコンテンツサーバに関する属性情報を携帯端末ごとに管理する管理サーバに接続し、接続される管理サーバに対して属性情報の取得を要求する取得要求とともに、機器識別情報を管理サーバに送信し、管理サーバから１または複数の属性情報を受信し、表示部は、受信された１または複数の属性情報を表示する。【選択図】  図９
2010009554.tif 000002
【特許請求の範囲】
【請求項１】
携帯端末を識別するための機器識別情報を記憶する記憶手段と、
前記携帯端末とネットワークを介して接続される少なくとも１つ以上の接続先に関する属性情報を管理する管理サーバに接続する接続手段と、
前記接続手段により接続される前記管理サーバに対して前記属性情報の取得を要求する取得要求とともに、前記機器識別情報を前記管理サーバに送信する送信手段と、
前記管理サーバから前記属性情報を受信する受信手段と、
前記受信手段により受信された前記属性情報に基づいたデータを表示する表示手段とを備えることを特徴とする携帯端末。
【請求項２】
前記表示手段により表示された複数の前記属性情報の中から選択が受け付けられたいずれかの前記属性情報に基づいて、前記属性情報により示される前記接続先に接続する第２の接続手段をさらに備えることを特徴とする請求項１に記載の携帯端末。
【請求項３】
前記送信手段は、さらに前記管理サーバにおいて前記属性情報を管理するための利用登録をする場合に、前記機器識別情報を前記管理サーバに送信し、
前記受信手段は、前記携帯端末を所有するユーザを識別するためのユーザ識別情報と、正当なユーザであるか否かを認証するための認証情報とが含まれる利用登録応答を受信し、
前記表示手段は、前記受信手段により受信された前記利用登録応答に含まれる前記ユーザ識別情報および前記認証情報を表示することを特徴とする請求項１に記載の携帯端末。
【請求項４】
前記送信手段は、前記管理サーバにおいて管理される前記属性情報を追加編集する場合、前記属性情報に関する追加編集情報に、前記機器識別情報を付加して前記管理サーバに送信することを特徴とする請求項１に記載の携帯端末。
【請求項５】
携帯端末とネットワークを介して接続される少なくとも１つ以上の接続先から取得される画像データ、前記接続先への接続日時に関する情報、および前記接続先に関する属性情報を記憶する記憶手段と、
日付の一覧が表示される画面で、前記記憶手段により記憶されている前記接続先への接続日時に対応する日時に、前記記憶手段によって前記画像データ、前記接続先への接続日時に関する情報および前記属性情報が記憶されていることを示す指示情報を表示する表示手段とを備えることを特徴とする携帯端末。
【請求項６】
前記表示手段は、前記日付の一覧が表示される画面上で前記指示情報が表示された表示領域が選択された場合、少なくとも、前記接続先に関する前記属性情報を表示することを特徴とする請求項５に記載の携帯端末。
【請求項７】
前記表示手段により表示された前記接続先に関する前記属性情報に基づいて、前記接続先に接続する接続手段をさらに備えることを特徴とする請求項６に記載の携帯端末。
【発明の詳細な説明】
【技術分野】
【０００１】
本発明は携帯端末に係り、特に、ネットワークを介して接続されるＷｅｂサイトにて管理される情報を閲覧することができるようにした携帯端末に関する。
【背景技術】
【０００２】
最近、インターネットに接続可能な携帯端末が知られている。この携帯端末は、ブラウザに関するアプリケーションを実行し、Ｗｅｂサイトにインターネットを介して接続し、Ｗｅｂサイトにて管理される種々の情報を閲覧することができる。このインターネットに接続可能な携帯端末を所有するユーザは、通常、自宅にもパーソナルコンピュータを所有しており、携帯端末とは別に、このパーソナルコンピュータを用いてＷｅｂサイトにて管理される種々の情報を閲覧する。
【０００３】
なお、近年、携帯端末には、フルブラウザと呼ばれる特殊なブラウザが搭載されるようになってきている。このフルブラウザは、携帯電話機などの携帯端末サービス向けに作られたＷｅｂサイトにて管理される情報に限られず、一般的なインターネット上のＷｅｂサイトにて管理されている情報も含めたあらゆる情報を閲覧することを目的としたブラウザである。特に、フルブラウザの中には、次のようなブラウザも提案されている。
【０００４】
すなわち、携帯端末からＷｅｂサイトにて管理されている情報を閲覧する場合、携帯端末とＷｅｂサイトとの間に中継サーバを介し、この中継サーバにてＷｅｂサイトにて管理される情報（ＨＴＭＬファイルなど）が一旦取得される。そして、中継サーバは、Ｗｅｂサイトから取得された情報にレンダリング処理などの高負荷処理を実行し、その処理結果を携帯端末に送信する。これにより、通信時間を削減することができるとともに、携帯端末にて実行されるブラウジング処理の負荷を極力小さくすることができる。
【０００５】
また、携帯端末にてブラウザに関するアプリケーションを実行してＷｅｂサイトにて管理される情報を閲覧する技術として次のような技術が知られている（例えば特許文献１参照。）特許文献１に提案されている技術によれば、携帯電話機画面にカーソルポインタを表示し、文章を携帯電話機の画面サイズに合う形で適宜自動改行を行った上で、携帯電話機の決定キーを入力することにより、文章が読みやすい位置に自動的に移動することで、携帯電話機を用いたパソコン用Ｗｅｂサイトの閲覧を円滑に行うことができる。
【特許文献１】特開２００７−２１３５３７号公報
【発明の開示】
【発明が解決しようとする課題】
【０００６】
携帯端末でブラウザに関するアプリケーションが実行されてＷｅｂサイトにインターネットを介して接続される場合、通常、アプリケーションのお気に入り（Ｂｏｏｋｍａｒｋｓ）から所望のＷｅｂサイトが選択されて接続される場合が多い。この接続方法に関しては、ユーザが自宅に所有するパーソナルコンピュータについても同様である。ユーザが携帯端末あるいはパーソナルコンピュータを用いてＷｅｂサイトに接続する場合、接続するＷｅｂサイトは両者間において重複することが多くなるが、このような場合、携帯端末とパーソナルコンピュータのそれぞれにおいて別々に所望のＷｅｂサイトをお気に入りとして入力して登録する必要がある。
【０００７】
しかし、前述したようにＷｅｂサイトにて管理されている情報を中継サーバを介して閲覧する場合、通常、携帯端末から接続する所望のＷｅｂサイトに関するお気に入り情報を中継サーバあるいは専用の管理サーバにて管理することから、パーソナルコンピュータでのお気に入り情報を中継サーバに登録することで、携帯端末とパーソナルコンピュータでのお気に入り情報を同期させることが可能となる。
【０００８】
ところが、中継サーバあるいは専用の管理サーバにて管理されるお気に入り情報を利用する場合、個人情報保護の観点から、中継サーバあるいは専用の管理サーバに接続される携帯端末やパーソナルコンピュータを所有するユーザが同一であるか否かを確認する必要がある。そこで、携帯端末やパーソナルコンピュータから中継サーバあるいは専用の管理サーバに接続する場合、例えば考えうる方法として携帯端末あるいはパーソナルコンピュータのどちらを利用する際も、同一のＩＤとパスワードを用いてログインさせるようにすることでユーザの同一性を確認することは可能となるが、携帯端末あるいはパーソナルコンピュータにおけるユーザの操作数が増えてしまい、Ｗｅｂサイトに接続する際の利便性が損なわれてしまうという課題があった。
【０００９】
一方、ユーザが携帯端末からポータルサイトを利用して様々なＷｅｂサイトに頻繁に接続するようになると、Ｗｅｂサイトにて管理される種々の情報を効率的に利用すべく、接続したＷｅｂサイトに関するＵＲＬやＷｅｂサイト名などを保存することが考えられるが、ユーザにとっては依然としてＷｅｂサイトに接続する際の利用性が悪いという課題があった。
【００１０】
本発明は、このような状況に鑑みてなされたものであり、Ｗｅｂサイトに接続する際の利便性を好適に向上させることができる携帯端末を提供することを目的とする。特に、本発明は、携帯端末のユーザＩＤを好適に管理することができる携帯端末を提供することを目的とする。また、本発明は、種々のＷｅｂサイトに頻繁に接続する際の利用性を好適に向上させることができる携帯端末を提供することを目的とする。
【課題を解決するための手段】
【００１１】
本発明の携帯端末は、上述した課題を解決するために、携帯端末を識別するための機器識別情報を記憶する記憶手段と、携帯端末とネットワークを介して接続される少なくとも１つ以上の接続先に関する属性情報を管理する管理サーバに接続する接続手段と、接続手段により接続される管理サーバに対して属性情報の取得を要求する取得要求とともに、機器識別情報を管理サーバに送信する送信手段と、管理サーバから属性情報を受信する受信手段と、受信手段により受信された属性情報に基づいたデータを表示する表示手段とを備えることを特徴とする。
【００１２】
本発明の携帯端末は、上述した課題を解決するために、携帯端末とネットワークを介して接続される少なくとも１つ以上の接続先から取得される画像データ、接続先への接続日時に関する情報、および接続先に関する属性情報を記憶する記憶手段と、日付の一覧が表示される画面で、記憶手段により記憶されている接続先への接続日時に対応する日時に、記憶手段によって画像データ、接続先への接続日時に関する情報および属性情報が記憶されていることを示す指示情報を表示する表示手段とを備えることを特徴とする。
【発明の効果】
【００１３】
本発明によれば、Ｗｅｂサイトに接続する際の利便性を好適に向上させることができる。
【発明を実施するための最良の形態】
【００１４】
以下、本発明の実施の形態について、図面を参照しながら説明する。
【００１５】
［第１実施形態］
図１は、本発明に係るネットワークシステムの概略的な構成を表している。図１に示されるように、ネットワークシステム１には、固定無線局であるアクセスポイント３−１乃至３−ｎが設置されている。これらのアクセスポイント３−１乃至３−ｎには、移動無線局である携帯端末２が、携帯端末２が有する通信手段としての通信部（図２の無線ＬＡＮ通信部）を用いて、無線ＬＡＮ通信によって無線接続される。なお、携帯端末２には、ポインティングデバイスであるスタイラスペン２−ａが備えられている。
【００１６】
アクセスポイント３−１乃至３−ｎは、一般に公開されているInternet網であるインターネット４が接続されている。このインターネット４には、種々のＷｅｂサイトを管理するコンテンツサーバ５−１乃至コンテンツサーバ５−ｎが有線を介して接続される。なお、携帯端末２からコンテンツサーバ５−１乃至５−ｎにて管理されているＷｅｂサイト上の情報を閲覧する場合、携帯端末２とコンテンツサーバ５−１乃至５−ｎとの間に中継サーバ６が設けられる。中継サーバ６は、Ｗｅｂサイトから取得されたＨＴＭＬの情報のうち、ページ表示のために重要なデータを解釈し、例えば画像情報を得て、更にデータを圧縮することや、レンダリング処理などの高負荷処理を実行し、その圧縮した処理結果を携帯端末２にインターネット４または図示しないネットワークを介して必要に応じて送信する。
【００１７】
インターネット４または中継サーバ６には、管理サーバ７がさらに有線を介して接続される。管理サーバ７は、携帯端末２から接続する所望のＷｅｂサイトに関するお気に入り情報（Ｗｅｂサイト名とＵＲＬなど）を管理する。また、インターネット４には、ユーザが所有する自宅のパーソナルコンピュータ８が適宜有線または無線を介して接続される。
【００１８】
図２は、本発明に係る携帯端末２の内部の構成を表している。図２に示されるように、制御部２１は、ＣＰＵ（Central Processing Unit）２２、ＲＯＭ（Read Only Memory）２３、およびＲＡＭ（Random Access Memory）２４などからなり、ＣＰＵ２２は、ＲＯＭ２３に記憶されているプログラムまたは記憶部３０からＲＡＭ２４にロードされた、オペレーティングシステム（ＯＳ）を含む各種のアプリケーションプログラムに従って各種の処理を実行するとともに、種々の制御信号を生成し、各部に供給することにより携帯端末２を統括的に制御する。ＲＡＭ２４は、ＣＰＵ２２が各種の処理を実行する上において必要なデータなどを適宜記憶する。
【００１９】
ＣＰＵ２２、ＲＯＭ２３、およびＲＡＭ２４には、バス２５を介して相互に接続されている。このバス２５にはまた、入出力インタフェース２６が接続される。入出力インタフェース２６には、操作キーなどによりなる入力部２９、ＬＣＤ(Liquid Crystal Display)や有機ＥＬなどよりなる表示部３０、ハードディスクや不揮発性メモリなどより構成される記憶部３１が接続される。なお、記憶部３１には、携帯端末２に予め設定されている機器固有ＩＤが記憶されている。この機器固有ＩＤには、例えば携帯端末２の製造番号やＭＡＣアドレスが含まれている。また、表示部３０には、透明なタッチパネル２８が重ねられて設けられている。
【００２０】
また、入出力インタフェース２６には、タッチ入力制御部２７が接続される。タッチ入力制御部２７は、ユーザによりスタイラスペン２−ａを用いたタッチ入力がタッチパネル２８上で行われると、タッチ入力が行われた座標（Ｘ軸とＹ軸の２軸により表される座標）を検出し、座標検出信号を制御部２１に出力する。この座標検出信号には、Ｘ軸とＹ軸の２軸により表される座標値が含まれている。これにより、携帯端末２においてはタッチパネル２８による入力を行うことができる。
【００２１】
さらに、入出力インタフェース２６には、カードスロットに相当するカードスロットI/F３２と、ＵＳＢによって接続可能なＵＳＢコネクタ３３が接続されている。カードスロットI/F３２には、カード型セルラー網通信部３４−１が接続される。カード型セルラー網通信部３４−１は、内蔵されたアンテナ（図示せず）を介して、例えばＰＨＳなどの規格に準拠した基地局（図示せず）を介してインターネット４などに接続される。
【００２２】
一方、ＵＳＢコネクタ３３には、拡張モジュールとしてのＵＳＢ型無線ＬＡＮ通信部３４−２が接続される。ＵＳＢ型無線ＬＡＮ通信部３４−２は、カード型セルラー網通信部３４−１と同様に、内蔵されたアンテナ（図示せず）を介して、ＩＥＥＥ８０２．１１ａ／ｂ／ｇなどの所定の規格に準拠した無線ＬＡＮ通信を行う。なお、ＵＳＢコネクタ３３およびＵＳＢ型無線ＬＡＮ通信部はこの形式に限定されず、カード型の無線ＬＡＮ通信を行う手段であっても良いし、内蔵型の無線ＬＡＮ通信を行う手段であっても良い。
【００２３】
なお、以下において無線ＬＡＮ通信またはセルラー網通信を用いてインターネット4に接続した動作については、特別に区別する場合を除いて「通信部３４」の動作と総称する。
【００２４】
また、携帯端末２がユーザにより持ち運ばれて移動した場合、適宜、携帯端末２の通信部３４は、携帯端末２に近接するアクセスポイント３−１乃至３−ｎと通信を行い、新たに付与されたＩＰアドレスを取得する。取得された最新のＩＰアドレスは、携帯端末２の記憶部３１に記憶（保持）される。これにより、携帯端末２のＩＰアドレスが動的に切り替えられる。
【００２５】
次に、図３のフローチャートを参照して、管理サーバ７にて管理されるお気に入り情報を利用する前提として、図２の携帯端末２と図１の管理サーバ７との間で実行される利用登録処理の概略について説明する。なお、図２の携帯端末２と図１の管理サーバ７との間で実行される利用登録処理の詳細については、各装置ごとに後述する。
【００２６】
ステップＳ１において、携帯端末２は、ブラウザに関するアプリケーションを実行し、管理サーバ７にて管理されるＷｅｂサイト上の利用登録ページにアクセスポイント３とインターネット４を介して接続する。ステップＳ２において、携帯端末２は、記憶部３１に予め記憶されている機器固有ＩＤ（例えば製造番号やＭＡＣアドレスなど）を管理サーバ７にインターネット４を介して送信する。なお、この機器固有ＩＤは「機器識別情報」と定義する。
【００２７】
ステップＳ３において、管理サーバ７は、携帯端末２から送信されてきた機器固有ＩＤを受信し、受信された携帯端末２の機器固有ＩＤを用いて利用登録を受け付けるとともに、携帯端末２（携帯端末２を所有するユーザ）に対してユーザＩＤとパスワードを発行（生成）する。ステップＳ４において、管理サーバ７は、発行されたユーザＩＤとパスワードを含む利用登録レスポンスをインターネット４を介して携帯端末２に送信する。ステップＳ５において、携帯端末２は、管理サーバ７から送信されてきた利用登録レスポンスを受信し、受信された利用登録レスポンスに従い、利用登録レスポンス画面を表示する。この利用登録レスポンス画面には、登録完了の旨とともに、携帯端末２（携帯端末２を所有するユーザ）に付与されたユーザＩＤとパスワードが表示される。なお、ユーザＩＤは「ユーザ識別情報」と定義し、パスワードは「認証情報」と定義する。
【００２８】
図４のフローチャートを参照して、図２の携帯端末２における利用登録処理の詳細について説明する。なお、携帯端末２のタッチパネル２８上には、管理サーバ７への接続用のアイコンα（図示せず）が他の機能を指示するアイコン群の１つとして表示されている。
【００２９】
ステップＳ２１において、制御部２１のＣＰＵ２２は、ユーザによりスタイラスペン２−ａが操作されることでタッチパネル２８上にてアイコンαがタップされて、利用登録処理を開始するとの指示が受け付けられたか否かを判定し、利用登録処理を開始するとの指示が受け付けられたと判定するまで待機する。ステップＳ２１においてＣＰＵ２２が、利用登録処理を開始するとの指示が受け付けられたと判定した場合、ＣＰＵ２２はステップＳ２２で、ブラウザに関するアプリケーションを起動し、管理サーバ７のＵＲＬに基づいて、アクセスポイント３およびインターネット４を介して管理サーバ７に接続する。
【００３０】
ステップＳ２３において、ＣＰＵ２２は、記憶部３１に予め記憶されている、携帯端末２に一意に割り当てられている機器固有ＩＤ（例えば製造番号やＭＡＣアドレス）を読み出す。本発明の実施形態においては、ＭＡＣアドレス（01-23-45-67-89-1b）を携帯端末２の機器固有ＩＤとして用いるようにするが、このような場合に限られない。
【００３１】
ステップＳ２４において、ＣＰＵ２２は、読み出された携帯端末２の機器固有ＩＤを用いて、管理サーバ７にて管理されるＷｅｂサイト上の利用登録ページに接続する際の環境変数の一部に機器固有ＩＤを設定し（x-internetterm-subnum=01234567891b）、カードスロットI/F３２またはＵＳＢコネクタに接続されている通信部３４を制御し、読み出された携帯端末２の機器固有ＩＤをインターネット４を介して環境変数として管理サーバ７に送信する。これにより、管理サーバ７においてこの機器固有ＩＤを用いることで、接続された携帯端末２を識別することができる。
【００３２】
ステップＳ２５において、通信部３４は、管理サーバ７から送信されてきた利用登録レスポンスをインターネット４を介して受信し、受信された利用登録レスポンスを入出力インタフェース２６やバス２５を介してＣＰＵ２２に供給する。ＣＰＵ２２は、通信部３４から供給された利用登録レスポンスを取得し、取得された利用登録レスポンスに従い、表示部３０を制御し、利用登録レスポンス画面を表示させる。表示部３０は、ＣＰＵ２２の制御に従い、例えば図５に示されるような利用登録レスポンス画面を表示する。この利用登録レスポンス画面には、登録完了の旨とともに、携帯端末２（携帯端末２を所有するユーザ）に付与されたユーザＩＤ（例えば携帯端末２の機器固有ＩＤに対応するＩＤであり、01234567891b）とパスワード（例えばabcde）が表示される。なお、ユーザは、パーソナルコンピュータ８からの管理サーバ７への接続の際にこのユーザＩＤとパスワードが用いられるため、このユーザＩＤとパスワードを記録しておく必要がある。
【００３３】
図６のフローチャートを参照して、図４の携帯端末２における利用登録処理に対応する、図１の管理サーバ７における利用登録処理の詳細について説明する。ステップＳ３１において、ＣＰＵ４１は、通信部４９を介して携帯端末２からの接続要求を取得すると、通信部４９を制御し、携帯端末２との間で接続をインターネット４を介して確立する。ステップＳ３２において、通信部４９は、携帯端末２から環境変数として送信されてきた機器固有ＩＤを受信し、受信された機器固有ＩＤを入出力インタフェース４５およびバス４４を介してＣＰＵ４１に供給する。
【００３４】
ステップＳ３３において、ＣＰＵ４１は、通信部４９から供給された機器固有ＩＤを取得すると、携帯端末２（携帯端末２を所有するユーザ）の利用登録を受け付ける。ステップＳ３４において、ＣＰＵ４１は、利用登録を受け付けた携帯端末２に対して、携帯端末２を所有するユーザを識別するための番号であるユーザＩＤと、正当なユーザであるか否かを認証するためのパスワードを発行（生成）する。例えばユーザＩＤとして、例えば携帯端末２の機器固有ＩＤに対応する01234567891bが発行される。勿論、これ以外のユーザＩＤを付与するようにしてもよい。また、パスワードとして、例えばabcdeが発行される。ステップＳ３５において、ＣＰＵ２２は、携帯端末２の機器固有ＩＤと、これらのユーザＩＤおよびパスワードとを対応付けて記憶部４８のユーザＩＤ管理テーブルに記憶させる。
【００３５】
図７は、図１の管理サーバ７の記憶部４８に記憶されているユーザＩＤ管理テーブルの構成例を表している。図７に示されるように、携帯端末２の機器固有ＩＤ、ユーザＩＤ、およびパスワードが対応付けられて登録されている。
【００３６】
ステップＳ３６において、ＣＰＵ４１は、通信部４９を制御し、発行されたユーザＩＤおよびパスワードを含む利用登録レスポンスを携帯端末２にインターネット４を介して送信する。
【００３７】
なお、その後、携帯端末２またはパーソナルコンピュータ８を用いて、ユーザが所望するお気に入り情報が管理サーバ７にて登録され、記憶部４８のユーザＩＤ管理テーブルに対応付けられて登録される。具体的には、例えば図７に示されるお気に入り情報１には、「お気に入りサイト１」と「http://www.xxxx.co.jp/」、および「お気に入りサイト２」と「http://www.△△△△.co.jp/」がそれぞれ対応付けられて格納されている。勿論、管理サーバ７で携帯端末２ごとに管理される情報は、上述したお気に入り情報に限られず、例えば接続先の履歴や、閲覧中のページなどの種々のユーザ固有の情報を管理するようにしてもよい。なお、お気に入り情報、履歴情報などサイトに関する情報は「接続先に関する属性情報」と定義する。
【００３８】
次に、図８のフローチャートを参照して、図２の携帯端末２と図１の管理サーバ７との間で実行されるお気に入り情報閲覧処理の概略について説明する。なお、図２の携帯端末２と図１の管理サーバ７との間で実行されるお気に入り情報閲覧処理の詳細については、各装置ごとに後述する。
【００３９】
ステップＳ４１において、携帯端末２は、ブラウザに関するアプリケーションを実行し、アクセスポイント３とインターネット４を介して管理サーバ７に接続するとともに、管理サーバ７に管理されているユーザのお気に入り情報の取得要求を、記憶部３１に予め記憶されている機器固有ＩＤ（例えば製造番号やＭＡＣアドレスなど）を付加してインターネット４を介して管理サーバ７に送信する。
【００４０】
ステップＳ４２において、管理サーバ７は、携帯端末２から送信されてきたお気に入り情報取得要求を受信し、受信されたお気に入り情報取得要求に付加された携帯端末２の機器固有ＩＤを用いて、お気に入り情報の取得を要求する携帯端末２（携帯端末２を所有するユーザ）を識別するとともに、識別された携帯端末２に対応付けられて登録されているお気に入り情報をインターネット４を介して携帯端末２に送信する。このお気に入り情報には、予め登録されているお気に入りサイトのサイト名およびＵＲＬが関連付けられて登録されている。ステップＳ４３において、携帯端末２は、管理サーバ７から送信されてきたお気に入り情報を受信し、受信されたお気に入り情報を表示する。
【００４１】
次に、図９のフローチャートを参照して、図２の携帯端末２におけるお気に入り情報閲覧処理の詳細について説明する。ステップＳ６１において、制御部２１のＣＰＵ２２は、ユーザによりスタイラスペン２−ａが操作されることでタッチパネル２８上にてアイコンαがタップされて、お気に入り情報閲覧処理を開始するとの指示が受け付けられたか否かを判定し、お気に入り情報閲覧処理を開始するとの指示が受け付けられたと判定するまで待機する。ステップＳ６１においてＣＰＵ２２が、お気に入り情報閲覧処理を開始するとの指示が受け付けられたと判定した場合、ＣＰＵ２２はステップＳ６２で、ブラウザに関するアプリケーションを実行し、管理サーバ７のＵＲＬに基づいて、アクセスポイント３およびインターネット４を介して管理サーバ７に接続する。
【００４２】
ステップＳ６３において、ＣＰＵ２２は、記憶部３１に予め記憶されている、携帯端末２に一意に割り当てられている機器固有ＩＤを読み出す。ステップＳ６４において、ＣＰＵ２２は、管理サーバ７にてユーザごと（携帯端末２ごとに）管理されているお気に入り情報の取得を要求するためのお気に入り情報取得要求を生成し、通信部３４を制御し、生成されたお気に入り情報取得要求に読み出された携帯端末２の機器固有ＩＤを付加してインターネット４を介して管理サーバ７に送信する。なお、お気に入り情報取得要求は「属性情報取得要求」と定義する。
【００４３】
ステップＳ６５において、通信部３４は、管理サーバ７から送信されてきたお気に入り情報をインターネット４を介して受信し、受信されたお気に入り情報を入出力インタフェース２６やバス２５を介してＣＰＵ２２に供給する。このお気に入り情報には、お気に入りとしての登録サイト名および登録ＵＲＬが対応付けられて格納されている。例えば図８に示されるお気に入り情報には、「お気に入りサイト１」と「http://www.xxxx.co.jp/」、および「お気に入りサイト２」と「http://www.△△△△.co.jp/」がそれぞれ対応付けられて格納されている。
【００４４】
ＣＰＵ２２は、通信部３４から供給されたお気に入り情報を取得し、表示部３０を制御し、取得されたお気に入り情報を表示させる。表示部３０は、ＣＰＵ２２の制御に従い、例えば図１０に示されるようにお気に入り情報を表示する。図１０に示されるように、表示部３０には、お気に入りサイト１および２が表示される。これにより、ユーザは、これから接続しようとするサイトのＵＲＬを管理サーバ７から容易に取得することができ、その後、このＵＲＬに基づいて接続処理を携帯端末２に開始させることができる。
【００４５】
ステップＳ６７において、ＣＰＵ２２は、ユーザによりスタイラスペン２−ａが操作されることでタッチパネル２８上にていずれかのお気に入りサイトの選択を受け付ける。ステップＳ６８において、ＣＰＵ２２は、通信部３４を制御し、選択が受け付けられたお気に入りサイトに対応するＵＲＬを用いて、インターネットを介してコンテンツサーバ５への接続処理を開始する。
【００４６】
図１１のフローチャートを参照して、図９の携帯端末２におけるお気に入り情報閲覧処理に対応する、図１の管理サーバ７におけるお気に入り情報閲覧処理の詳細について説明する。ステップＳ８１において、ＣＰＵ４１は、通信部４９を介して携帯端末２からの接続要求を取得すると、通信部４９を制御し、携帯端末２との間で接続をインターネット４を介して確立する。ステップＳ８２において、通信部４９は、携帯端末２から送信されてきたお気に入り情報取得要求とともに、これに付加された機器固有ＩＤを受信し、受信されたお気に入り情報取得要求および機器固有ＩＤを入出力インタフェース４５およびバス４４を介してＣＰＵ４１に供給する。
【００４７】
ステップＳ８３において、ＣＰＵ４１は、通信部４９から供給されたお気に入り情報取得要求および機器固有ＩＤを取得すると、記憶部４８に記憶されているユーザＩＤ管理テーブル（例えば図７のユーザＩＤ管理テーブル）を読み出す。ステップＳ８４において、ＣＰＵ４１は、記憶部４８から読み出されたユーザＩＤ管理テーブルを参照して、お気に入り情報取得要求に付加された携帯端末２の機器固有ＩＤに基づいて、この携帯端末２に対応付けられたお気に入り情報を抽出する。例えば機器固有ＩＤ「01234567891b」が携帯端末２から取得された場合、この機器固有ＩＤ「01234567891b」に基づいて、この機器固有ＩＤに識別される携帯端末２に対応付けられている「お気に入り情報１」が抽出される。ステップＳ８５において、ＣＰＵ４１は、通信部４９を制御し、抽出されたお気に入り情報を携帯端末２にインターネット４を介して送信する。
【００４８】
次に、図１２のフローチャートを参照して、図２の携帯端末２と図１の管理サーバ７との間、あるいは図１の管理サーバ７と図１のパーソナルコンピュータ８との間で実行されるお気に入り情報追加編集処理の概略について説明する。なお、お気に入り情報追加編集処理の詳細については、各装置ごとに後述する。
【００４９】
例えば携帯端末２から管理サーバ７に接続して、管理サーバ７にてすでに管理されているお気に入り情報を追加・編集する場合、携帯端末２はステップＳ１０１で、ブラウザに関するアプリケーションを実行し、管理サーバ７にて管理されるＷｅｂサイト上のお気に入り情報追加編集ページにアクセスポイント３とインターネット４を介して接続する。そして、携帯端末２は、ユーザによりスタイラスペン２−ａが操作されることでタッチパネル２８上にて入力されたお気に入り情報に関する追加・編集情報を管理サーバ７に送信するとともに、記憶部３１に予め記憶されている機器固有ＩＤを環境変数として管理サーバ７にインターネット４を介して送信する。
【００５０】
ステップＳ１０２において、管理サーバ７は、携帯端末２から送信されてきたお気に入り情報に関する追加・編集情報とともに携帯端末２の機器固有ＩＤを受信し、受信された機器固有ＩＤに基づいてお気に入り情報に関する追加・編集情報を送信してきた携帯端末２を識別し、識別された携帯端末２に対応付けられて登録されている現在のお気に入り情報を、受信されたお気に入り情報に関する追加・編集情報に基づいて追加・編集する。
【００５１】
一方、パーソナルコンピュータ８から管理サーバ７に接続して、管理サーバ７にてすでに管理されているお気に入り情報を追加・編集する場合、パーソナルコンピュータ８はステップＳ１２１で、管理サーバ７にて管理されるＷｅｂサイト上のお気に入り情報追加編集ページにアクセスポイント３とインターネット４を介して接続する。そして、パーソナルコンピュータ８は、ユーザにより入力部６６が操作されることでログイン画面上で入力されたユーザＩＤおよびパスワードを、インターネット４を介して管理サーバ７に送信する。
【００５２】
ステップＳ１２２において、管理サーバ７は、携帯端末２から送信されてきたユーザＩＤおよびパスワードを受信し、受信されたユーザＩＤおよびパスワードに基づいて正当なユーザであるか否かを認証するとともに携帯端末２（ユーザが所有する携帯端末２）を識別し、認証の結果、正当なユーザであると判断された場合、ログインＯＫという応答（ログイン許可応答）をパーソナルコンピュータ８にインターネット４を介して送信する。ステップＳ１２３において、パーソナルコンピュータ８は、ユーザにより入力部６６が操作されることで入力されたお気に入り情報に関する追加・編集情報をインターネット４を介して管理サーバ７に送信する。管理サーバ７は、パーソナルコンピュータ８から送信されてきたお気に入り情報に関する追加・編集情報を受信し、識別された携帯端末２に対応付けられて登録されている現在のお気に入り情報を、受信されたお気に入り情報に関する追加・編集情報に基づいて追加・編集する。
【００５３】
これにより、携帯端末２とパーソナルコンピュータ８のいずれからも管理サーバ７に管理されているお気に入り情報を追加編集することができ、管理サーバ７で携帯端末２ごとに管理される例えばお気に入り情報、接続先の履歴や、閲覧中のページなどの種々のユーザ固有の情報を、携帯端末２とパーソナルコンピュータ８との間で好適に同期させることができる。従って、Ｗｅｂサイトに接続する際の利便性を好適に向上させることができる。
【００５４】
図１３のフローチャートを参照して、図２の携帯端末２におけるお気に入り情報追加編集処理の詳細について説明する。ステップＳ１４１において、制御部２１のＣＰＵ２２は、ユーザによりスタイラスペン２−ａが操作されることでタッチパネル２８上にてアイコンαがタップされて、お気に入り情報追加編集処理を開始するとの指示が受け付けられたか否かを判定し、お気に入り情報追加編集処理を開始するとの指示が受け付けられたと判定するまで待機する。ステップＳ１４１においてＣＰＵ２２が、お気に入り情報追加編集処理を開始するとの指示が受け付けられたと判定した場合、ＣＰＵ２２はステップＳ１４２で、ブラウザに関するアプリケーションを実行し、管理サーバ７のＵＲＬに基づいて、アクセスポイント３およびインターネット４を介して管理サーバ７に接続する。
【００５５】
ステップＳ１４３において、ＣＰＵ２２は、ユーザによりスタイラスペン２−ａが操作されることでタッチパネル２８上にてお気に入り情報に関する追加・編集情報の入力を受け付ける。具体的には、例えば図１４（Ｂ）に示されるように、図１４（Ａ）に示されるお気に入り情報１にＵＲＬ「http://www.○○○○.co.jp/」を有する「お気に入りサイト３」が追加された、お気に入り情報に関する追加編集情報が入力される。
【００５６】
ステップＳ１４４において、ＣＰＵ２２は、記憶部３１に予め記憶されている、携帯端末２に一意に割り当てられている機器固有ＩＤを読み出す。ステップＳ１４５において、ＣＰＵ２２は、通信部３４を制御し、入力が受け付けられたお気に入り情報に関する追加編集情報に、読み出された携帯端末２の機器固有ＩＤを付加してインターネット４を介して管理サーバ７に送信する。
【００５７】
図１５のフローチャートを参照して、図１３の携帯端末２におけるお気に入り情報追加編集処理に対応する、図１の管理サーバ７におけるお気に入り情報追加編集処理の詳細について説明する。ステップＳ１５１において、ＣＰＵ４１は、通信部４９を介して携帯端末２からの接続要求を取得すると、通信部４９を制御し、携帯端末２との間で接続をインターネット４を介して確立する。ステップＳ１５２において、通信部４９は、携帯端末２から送信されてきたお気に入り情報に関する追加編集情報とともに、これに付加された機器固有ＩＤを受信し、受信されたお気に入り情報に関する追加編集情報および機器固有ＩＤを入出力インタフェース４５およびバス４４を介してＣＰＵ４１に供給する。
【００５８】
ステップＳ１５３において、ＣＰＵ４１は、通信部４９から供給されたお気に入り情報に関する追加編集情報および機器固有ＩＤを取得すると、記憶部４８に記憶されているユーザＩＤ管理テーブル（例えば図７のユーザＩＤ管理テーブル）を読み出す。ステップＳ１５４において、ＣＰＵ４１は、記憶部４８から読み出されたユーザＩＤ管理テーブルを参照して、お気に入り情報に関する追加編集情報およびこれに付加された携帯端末２の機器固有ＩＤに基づいて、この携帯端末２に対応付けられたお気に入り情報１を更新する。例えば図７に示されるお気に入り情報１は、図１６に示されるように、ＵＲＬ「http://www.○○○○.co.jp/」を有する「お気に入りサイト３」が追加されたデータ構造となる。
【００５９】
次に、図１７のフローチャートを参照して、図１のパーソナルコンピュータ８におけるお気に入り情報追加編集処理の詳細について説明する。ステップＳ１６１において、ＣＰＵ６１は、ユーザにより入力部６６が操作されることでお気に入り情報追加編集処理を開始するとの指示が受け付けられたか否かを判定し、お気に入り情報追加編集処理を開始するとの指示が受け付けられたと判定するまで待機する。ステップＳ１６１においてＣＰＵ６１が、お気に入り情報追加編集処理を開始するとの指示が受け付けられたと判定した場合、ＣＰＵ６１はステップＳ１６２で、通信部６９を制御し、管理サーバ７にインターネット４を介して接続する。ステップＳ１６３において、ＣＰＵ６１は、出力部６７により表示されるログイン画面上にてユーザＩＤおよびパスワードの入力を受け付ける。例えばユーザＩＤとして「01234567891b」の入力が受け付けられ、パスワードとして「abcde」の入力が受け付けられる。
【００６０】
ステップＳ１６４において、ＣＰＵ６１は、通信部６９を介して管理サーバ７から受信されたログイン応答に基づいて、ログインＯＫであるか否かを判定し、ログインＯＫではないと判定した場合、出力部６７を制御し、ログイン失敗の旨を表示させる。一方、ステップＳ１６４においてＣＰＵ６１がログインＯＫであると判定した場合、ＣＰＵ６１はステップＳ１６５で、ユーザにより入力部６６が操作されることでお気に入り情報に関する追加・編集情報の入力を受け付ける。お気に入り情報に関する追加・編集情報の具体的な内容については、例えば図１４（Ｂ）に示されるものと基本的には同様である。
【００６１】
ステップＳ１６６において、ＣＰＵ６１は、通信部６９を制御し、入力が受け付けられたお気に入り情報に関する追加編集情報をインターネット４を介して管理サーバ７に送信する。
【００６２】
図１８のフローチャートを参照して、図１７のパーソナルコンピュータ８におけるお気に入り情報追加編集処理に対応する、図１の管理サーバ７におけるお気に入り情報追加編集処理の詳細について説明する。ステップＳ１８１において、ＣＰＵ４１は、通信部４９を介してパーソナルコンピュータ８からの接続要求を取得すると、通信部４９を制御し、パーソナルコンピュータ８との間で接続をインターネット４を介して確立する。ステップＳ１８２において、通信部４９は、パーソナルコンピュータ８から送信されてきたユーザＩＤとパスワードを受信し、受信されたユーザＩＤとパスワードを入出力インタフェース４５およびバス４４を介してＣＰＵ４１に供給する。
【００６３】
ステップＳ１８３において、ＣＰＵ４１は、通信部４９から供給されたユーザＩＤとパスワードを取得すると、記憶部４８に記憶されているユーザＩＤ管理テーブルを読み出す。ステップＳ１８４において、ＣＰＵ４１は、受信されたユーザＩＤおよびパスワードに基づいて正当なユーザであるか否かを認証するとともに、パーソナルコンピュータ８から接続してきたユーザが所有する携帯端末２を識別し、認証の結果、正当なユーザであると判断された場合、ログインＯＫという応答（ログイン許可応答）を生成する一方、認証の結果、正当なユーザではないと判断された場合、ログイン失敗という応答（ログイン不許可応答）を生成する。
【００６４】
具体的には、例えば図７に示されるユーザＩＤ管理テーブルを参照して、ユーザＩＤにより識別されるユーザを認識し、そのユーザＩＤに対応付けられたパスワードと一致するか否かが判断される。図７の場合、ユーザＩＤ「01234567891b」に対応付けられたパスワードは「abcde」であることから、このパスワードと異なるパスワードである場合には正当なユーザではないと判断される。なお、受信されたユーザＩＤ自体が存在しない場合にも、正当なユーザではないと判断される。
【００６５】
ステップＳ１８４においてＣＰＵ４１がログインＯＫではないと判断した場合、ＣＰＵ４１は、通信部４９を制御し、ログイン不許可応答をインターネット４を介してパーソナルコンピュータ８に送信する。一方、ステップＳ１８４においてＣＰＵ４１がログインＯＫであると判断した場合、ＣＰＵ４１はステップＳ１８５で、通信部４９を制御し、ログイン許可応答をインターネット４を介してパーソナルコンピュータ８に送信する。ステップＳ１８６において、通信部４９は、パーソナルコンピュータ８から送信されてきたお気に入り情報に関する追加編集情報を受信し、受信されたお気に入り情報に関する追加編集情報を入出力インタフェース４５およびバス４４を介してＣＰＵ４１に供給する。ステップＳ１８７において、ＣＰＵ４１は、記憶部４８から読み出されたユーザＩＤ管理テーブルを参照して、お気に入り情報に関する追加編集情報に基づいて、ログインが許可された携帯端末２（パーソナルコンピュータ８から接続してきたユーザが所有する携帯端末２）に対応付けられたお気に入り情報１を更新する。例えば図７に示されるお気に入り情報１は、図１６に示されるように、ＵＲＬ「http://www.○○○○.co.jp/」を有する「お気に入りサイト３」が追加されたデータ構造となる。
【００６６】
本発明の実施形態においては、携帯端末２において、携帯端末２を識別するための機器識別情報（機器固有ＩＤ）を記憶し、携帯端末２とネットワーク（インターネット４）を介して接続される少なくとも１つ以上のコンテンツサーバ５−１乃至５−ｎに関する属性情報を携帯端末２ごとに管理する管理サーバ７に接続し、接続される管理サーバ７に対して属性情報の取得を要求する取得要求とともに、機器識別情報を管理サーバ７に送信し、管理サーバ７から１または複数の属性情報を受信し、受信された１または複数の属性情報を表示することができる。また、表示された１または複数の属性情報の中から選択が受け付けられたいずれかの属性情報に基づいて、属性情報により示されるコンテンツサーバに接続することができる。
【００６７】
一方、管理サーバ７においては、携帯端末２から機器識別情報を受信し、受信された機器識別情報に基づいて携帯端末２を識別するとともに、携帯端末２を所有するユーザを識別するためのユーザ識別情報（ユーザＩＤ）と、正当なユーザであるか否かを認証するための認証情報（パスワード）を発行し、発行されたユーザ識別情報と認証情報、および機器固有ＩＤとを対応付けてユーザＩＤ管理テーブルに記憶し、携帯端末２から属性情報取得要求（お気に入り情報取得要求）が受信された場合に、ユーザＩＤ管理テーブルを読み出し、読み出されたユーザＩＤ管理テーブルを参照して、属性情報取得要求に付加された機器識別情報に基づいて、携帯端末２に対応付けられた属性情報を抽出し、抽出された属性情報を携帯端末２に送信することができる。
【００６８】
これにより、携帯端末２から管理サーバ７に接続する場合に、ユーザＩＤとパスワードを用いてログインする必要がなくなり、ユーザＩＤとパスワードの存在を意識することなく管理サーバ７に接続することができる。従って、携帯端末２におけるユーザの操作数を抑えることができ、Ｗｅｂサイトに接続する際の利便性を好適に向上させることができ、特に、携帯端末２のユーザＩＤを好適に管理することができる。その結果、管理サーバ７で携帯端末２ごとに管理される例えばお気に入り情報、接続先の履歴や、閲覧中のページなどの種々のユーザ固有の情報を、携帯端末２とパーソナルコンピュータ８との間で同期させることができる。
【００６９】
また、ユーザＩＤの管理にあたり、携帯端末２の機器固有ＩＤ（例えば製造番号やＭＡＣアドレスなど）を利用するようにしているが、これらの機器固有ＩＤは携帯端末の出荷時に設定される固有の番号であり、ユーザが携帯端末２の購入後に変更することはできず、お気に入り情報の取得のための管理サーバ７への接続時に自動的に機器固有ＩＤが管理サーバ７に送信されることから、たとえパスワードなどの認証処理を行わなくても十分にセキュリティを保つことができる。
【００７０】
さらに、携帯端末２にてカードスロットI/F３２やＵＳＢコネクタ３３を介して無線ＬＡＮ通信部３４−２が着脱可能な場合であったとしても、携帯端末２の機器固有ＩＤ（例えば製造番号やＭＡＣアドレスなど）を用いてユーザＩＤを管理しているので、無線ＬＡＮ通信部３４−２が内蔵されていない携帯端末２についても十分にユーザＩＤを管理することができる。
【００７１】
［第２実施形態］
ところで、ユーザが携帯端末２からポータルサイトを利用して様々なＷｅｂサイトに頻繁に接続するようになると、Ｗｅｂサイトにて管理される種々の情報を効率的に利用すべく、接続したＷｅｂサイトに関するＵＲＬやＷｅｂサイト名などを携帯端末２にて保存することが考えられるが、ユーザにとっては依然としてＷｅｂサイトに接続する際の利用性が悪い。そこで、例えばカレンダー機能と組み合わせて、接続した日時と対応付けてページメモとしてユーザの好みに応じて適宜呼び出すことができるようにしてもよい。これにより、種々のＷｅｂサイトに頻繁に接続する際の利用性を好適に向上させることができる。以下、本発明に係る第２実施形態について説明する。なお、第２実施形態におけるネットワークシステム１や携帯端末２の構成については基本的には第１実施形態と同様であり、その説明は繰り返しになるので省略する。なお、第１実施形態においては、携帯端末２からＷｅｂサイトに接続する場合、中継サーバ６を経由するようにしたが、第２実施形態おいてはこの場合に限られず、中継サーバ６を経由しない場合についても適用することができる。
【００７２】
図１９のフローチャートを参照して、図２の携帯端末２におけるページメモ記憶処理について説明する。なお、このページメモ記憶処理は、例えば図２０に示されるブラウザ画面が表示部３０に表示されており、いずれかのＷｅｂサイトを閲覧中に実行される。
【００７３】
ステップＳ２０１において、ＣＰＵ２２は、所定のＷｅｂサイト閲覧中に、ユーザによりスタイラスペン２−ａが操作されることでタッチパネル２８上にてメニュのアイコンβがタップされると、表示部３０を制御し、メニュ画面を表示する。ステップＳ２０２において、ＣＰＵ２２は、ユーザによりスタイラスペン２−ａが操作されることでタッチパネル２８上にてタップされ、表示部３０に表示されるメニュ画面上にてページメモの選択を受け付ける。ステップ２０３において、ＣＰＵ２２は、現在表示されているＷｅｂサイトのページにおける例えばＨＴＭＬの構文、画像データ、Ｗｅｂサイト名およびそのＵＲＬなどのページ情報を記憶部３１に保存（記憶）させる。このとき、ＣＰＵ２２は、ページメモが実行される日時をこれらのデータに関連付けて記憶させる。
【００７４】
次に、図２１のフローチャートを参照して、図２の携帯端末２におけるページメモ呼び出し処理について説明する。ステップＳ２２１において、ＣＰＵ２２は、例えば図２２（Ａ）に示されるような所定のＷｅｂサイト閲覧中に、ユーザによりスタイラスペン２−ａが操作されることでタッチパネル２８上にてメニュのアイコンβがタップされると、表示部３０を制御し、メニュ画面を表示する。ステップＳ２２２において、ＣＰＵ２２は、ユーザによりスタイラスペン２−ａが操作されることでタッチパネル２８上にてタップされ、表示部３０に表示されるメニュ画面上にてページメモ読み出しの選択を受け付ける。
【００７５】
ステップＳ２２３において、ＣＰＵ２２は、表示部３０を制御し、カレンダー画面を表示させる。表示部３０は、ＣＰＵ２２の制御に従い、例えば図２２（Ｂ）に示されるようにカレンダー画面を表示する。このとき、図１９のフローチャートを用いて説明したページメモ記憶処理によってページメモが記憶されている日時に対応する表示領域には、ページメモが記憶されている旨の表示が重畳して施される。図２３は、図２２（Ｂ）に示されるカレンダー画面の拡大図を示している。図２３に示されるように、ページメモ記憶処理によってページメモが記憶されている日時（例えば２００７年１月１日と８日）に対応する表示領域には、ページメモが記憶（保存）されている旨を示すアイコンγおよびδがカレンダー画面に重畳して表示されている。これにより、ユーザは、アイコンγおよびδに示される日時に接続したＷｅｂサイトに関する何らかのページメモが保存されていることを知ることができる。
【００７６】
ステップＳ２２４において、ＣＰＵ２２は、ユーザによりスタイラスペン２−ａが操作されることでタッチパネル２８上にてタップされ、表示部３０に表示されるカレンダー画面上にて呼び出し日時の選択を受け付ける。例えば図２３に示される２００７年１月８日の選択が受け付けられる。なお、現在選択候補となっている呼び出し日時に対応する表示領域には、呼び出し日時選択カーソルが重畳して表示される。ステップＳ２２５において、ＣＰＵ２２は、表示部３０を制御し、選択が受け付けられた呼び出し日時に保存されているページメモのタイトル一覧を表示させる。表示部３０は、ＣＰＵ２２の制御に従い、例えば図２２（Ｃ）に示されるように、選択が受け付けられた呼び出し日時に保存されているページメモのタイトル一覧を表示する。例えば図２２（Ｃ）の場合、２００７年１月８日に保存されているページメモのタイトル一覧として「Ｗｅｂサイト１」乃至「Ｗｅｂサイト３」に示されるＷｅｂサイト名（ページメモのタイトル）が表示される。
【００７７】
ステップＳ２２６において、ＣＰＵ２２は、ユーザによりスタイラスペン２−ａが操作されることでタッチパネル２８上にてタップされ、表示部３０に表示されるページメモのタイトル一覧の中からいずれかのタイトルの選択を受け付ける。例えば図２２（Ｃ）の場合、「Ｗｅｂサイト１」のタイトルの選択が受け付けられる。ステップＳ２２７において、ＣＰＵ２２は、表示部３０を制御し、選択が受け付けられたタイトルにより示されるＷｅｂサイトのページに関する画像データを表示させる。表示部３０は、ＣＰＵ２２の制御に従い、例えば図２２（Ｅ）に示されるように、選択が受け付けられたタイトルにより示されるＷｅｂサイトのページに関する画像データを表示する。これにより、ユーザは、２００７年１月８日に保存されているページメモの内容を直ちに把握することができる。
【００７８】
その後、ステップＳ２２８において、ＣＰＵ２２は、ユーザによりスタイラスペン２−ａが操作されることでタッチパネル２８上にてタップされ、表示されているＷｅｂサイトへの接続をするとの指示が受け付けられたか否かを判定する。ステップＳ２２８においてＣＰＵ２２が、表示されているＷｅｂサイトへの接続をするとの指示が受け付けられたと判定した場合、ＣＰＵ２２はステップＳ２２９で、通信部３４を制御し、選択が受け付けられたタイトルにより示されるＷｅｂサイトのＵＲＬに基づいて、そのＷｅｂサイトへの接続を開始する。接続すると、もしそのＵＲＬに基づいたＷｅｂサイトが更新されていた場合、更新されたＷｅｂサイトが表示される。
【００７９】
一方、ステップＳ２２８においてＣＰＵ２２が、表示されているＷｅｂサイトへの接続をするとの指示が受け付けられていないと判定した場合、ステップＳ２２９の処理はスキップされる。
【００８０】
なお、ステップＳ２２５においてページメモのタイトル一覧を表示する場合、ページメモのタイトル一覧に代えて、例えば図２２（Ｆ）に示されるように、日時に記憶されているページメモに関するサムネイル画像Ｐ−１乃至Ｐ−３を表示するようにしてもよい。
【００８１】
また、ステップＳ２２４の処理においてページ呼び出し日時の選択が受け付けられるまでに、呼び出し日時選択カーソルによって日時がフォーカスされた場合、図２４に示されるように、表示部３０の表示画面の表示領域を２つに分割して、例えば上部表示領域に、呼び出し日時選択カーソルがフォーカスされている日時に記憶されているページメモに関するサムネイル画像Ｐ−１乃至Ｐ−３を表示された上で、下部表示領域にカレンダー画面を表示するようにしてもよい。勿論、日時の欄自体にサムネイル画像Ｐ−１乃至Ｐ−３を表示するようにしてもよい。
【００８２】
さらに、例えば図２２（Ａ）に示されるような所定のＷｅｂサイト閲覧中のブラウザ画面からではなく、図２２（Ｇ）に示されるように、デスクトップ画面からページ呼出専用アイコンＸをタップしてページメモ呼び出しを直接的に行うようにしてもよい。
【００８３】
また、図２５に示されるように、ページメモ記憶処理によってページメモが記憶されている日時（例えば２００７年１月１日と８日）に対応する表示領域に、ページメモの数量を意味するアイコンＹおよびＺを重畳して表示することで、ページメモが記憶（保存）されていることを示すようにしてもよい。なお、アイコンＹの場合、２００７年１月１日に記憶されているページメモの数量は３つであり、アイコンＺの場合、２００７年１月８日に記憶されているページメモの数量は２つであることを意味している。
【００８４】
さらに、カレンダー画面にて表示するようにしたが、これ以外にも、例えば接続日時の順に、ページメモなどの接続先に関する情報を履歴表示するようにしてもよい。この履歴表示にするか、あるいはカレンダー表示にするかに関してはタブなどで切り替えるようにしてもよい。これにより、ページメモの閲覧に関する利便性を向上させることができる。
【００８５】
ところで、種々のＷｅｂサイトに頻繁に接続しつつ、Ｗｅｂサイトに関するページメモを頻繁に保存すると、記憶部３１のメモリ領域が一杯になってしまうことが考えられる。そこで、適宜、保存されたページメモの削除処理を実行するようにしてもよい。以下、この方法を用いたページメモ削除処理について説明する。
【００８６】
図２６のフローチャートを参照して、図２の携帯端末２におけるページメモ削除処理について説明する。ステップＳ２４１において、ＣＰＵ２２は、例えば図２２（Ａ）に示されるような所定のＷｅｂサイト閲覧中に、ユーザによりスタイラスペン２−ａが操作されることでタッチパネル２８上にてメニュのアイコンβがタップされると、表示部３０を制御し、メニュ画面を表示する。ステップＳ２４２において、ＣＰＵ２２は、ユーザによりスタイラスペン２−ａが操作されることでタッチパネル２８上にてタップされ、表示部３０に表示されるメニュ画面上にてページメモ削除の選択を受け付ける。
【００８７】
ステップＳ２４３において、ＣＰＵ２２は、表示部３０を制御し、記憶されているページメモを接続日時が古い順に表示させる。表示部３０は、記憶されているページメモを接続日時順に表示する。ステップＳ２４４において、ＣＰＵ２２は、ユーザによりスタイラスペン２−ａが操作されることでタッチパネル２８上にてタップされて、削除するページメモの選択が受け付けられたか否かを判定する。ステップＳ２４４においてＣＰＵ２２が、削除するページメモの選択が受け付けられたと判定された場合、ＣＰＵ２２はステップＳ２４５で、選択が受け付けられたページメモの削除を実行する。一方、ステップＳ２４４においてＣＰＵ２２が、削除するページメモの選択が受け付けられていないと判定された場合、ステップＳ２４５の処理はスキップされ、ページメモ削除処理は実行されない。
【００８８】
これにより、優先度が低い接続日時が古い順にページメモを削除することができる。なお、頻繁に見るページメモの接続日時は最新の接続日時に更新するようにする。これにより、ページメモの記憶日時に拘束されずに最新の接続日時（すなわち、最新の優先度）でページメモの削除を実行することができる。
【００８９】
なお、本発明は、ＰＤＡ（Personal Digital Assistant）、パーソナルコンピュータ、携帯型ゲーム機、携帯型音楽再生機、携帯型動画再生機、その他の携帯端末にも適用することができる。
【００９０】
また、本発明の実施形態において説明した一連の処理は、ソフトウェアにより実行させることもできるが、ハードウェアにより実行させることもできる。
【００９１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９２】
【図１】本発明に係るネットワークシステムの概略的な構成を示す図。
【図２】本発明に係る携帯端末の内部の構成を示すブロック図。
【図３】管理サーバにて管理されるお気に入り情報を利用する前提として、図２の携帯端末と図１の管理サーバとの間で実行される利用登録処理の概略を説明するフローチャート。
【図４】図２の携帯端末における利用登録処理を説明するフローチャート。
【図５】図２の携帯端末の表示部に表示される利用登録レスポンス画面の表示例を示す図。
【図６】図１の管理サーバにおける利用登録処理を説明するフローチャート。
【図７】図１の管理サーバの記憶部に記憶されているユーザＩＤ管理テーブルの構成例を示す図。
【図８】図２の携帯端末と図１の管理サーバとの間で実行されるお気に入り情報閲覧処理の概略を説明するフローチャート。
【図９】図２の携帯端末におけるお気に入り情報閲覧処理を説明するフローチャート。
【図１０】図２の携帯端末の表示部に表示されるお気に入り情報の表示例を示す図。
【図１１】図１の管理サーバにおけるお気に入り情報閲覧処理を説明するフローチャート。
【図１２】図２の携帯端末と図１の管理サーバとの間、あるいは図１の管理サーバと図１のパーソナルコンピュータとの間で実行されるお気に入り情報追加編集処理の概略を説明する。
【図１３】図２の携帯端末におけるお気に入り情報追加編集処理を説明するフロー地チャート。
【図１４】お気に入り情報の追加編集情報の例を示す図。
【図１５】図１の管理サーバにおけるお気に入り情報閲覧処理を説明するフローチャート。
【図１６】図１の管理サーバの記憶部に記憶されているユーザＩＤ管理テーブルの構成例を示す図。
【図１７】図１のパーソナルコンピュータにおけるお気に入り情報追加編集処理を説明するフローチャート。
【図１８】図１の管理サーバにおけるお気に入り情報閲覧処理を説明するフローチャート。
【図１９】図２の携帯端末におけるページメモ記憶処理を説明するフローチャート。
【図２０】図２の携帯端末の表示部における表示画面の表示例を示す図。
【図２１】図２の携帯端末におけるページメモ呼び出し処理を説明するフローチャート。
【図２２】図２の携帯端末の表示部における表示画面の遷移図。
【図２３】図２の携帯端末の表示部における表示画面の拡大図。
【図２４】図２の携帯端末の表示部における表示画面の拡大図。
【図２５】図２の携帯端末の表示部における表示画面の拡大図。
【図２６】図２の携帯端末におけるページメモ削除処理を説明するフローチャート。
【符号の説明】
【００９３】
１…ネットワークシステム、２…携帯端末、２−ａ…スタイラスペン、３（３−１乃至３−ｎ）…アクセスポイント、４…インターネット、５（５−１乃至５−ｎ）…コンテンツサーバ、６…中継サーバ、７…管理サーバ、８…パーソナルコンピュータ、２１…制御部、２２…ＣＰＵ、２３…ＲＯＭ、２４…ＲＡＭ、２５…バス、２６…入出力インタフェース、２７…タッチ入力制御部、２８…タッチパネル、２９…入力部、３０…表示部、３１…記憶部、３２…カードスロットI/F、３３…ＵＳＢコネクタ、３４−１カード型セルラー網通信部、３４−２…ＵＳＢ型無線ＬＡＮ通信部。
【図１】
2010009554.tif 000003
【図２】
2010009554.tif 000004
【図３】
2010009554.tif 000005
【図４】
2010009554.tif 000006
【図５】
2010009554.tif 000007
【図６】
2010009554.tif 000008
【図７】
2010009554.tif 000009
【図８】
2010009554.tif 000010
【図９】
2010009554.tif 000011
【図１０】
2010009554.tif 000012
【図１１】
2010009554.tif 000013
【図１２】
2010009554.tif 000014
【図１３】
2010009554.tif 000015
【図１４】
2010009554.tif 000016
【図１５】
2010009554.tif 000017
【図１６】
2010009554.tif 000018
【図１７】
2010009554.tif 000019
【図１８】
2010009554.tif 000020
【図１９】
2010009554.tif 000021
【図２０】
2010009554.tif 000022
【図２１】
2010009554.tif 000023
【図２２】
2010009554.tif 000024
【図２３】
2010009554.tif 000025
【図２４】
2010009554.tif 000026
【図２５】
2010009554.tif 000027
【図２６】
2010009554.tif 000028